(57)【要約】      （修正有）【課題】高所の枝を切断する際、目的の枝を把持して揺れを抑制した状態で鋸断できる装置を提供する。【解決手段】摺動ピン（２ａ）の下方前方寄りの位置で鋸（２）にフォークヘッド（６ａ）を枢着し、これに連結されたロッド（６）を長柄の後端近くに装着した鋸操作ハンドル（１８）と係合させ、該鋸操作ハンドルを前後に動かすことにより先端の鋸が前後動する構造にする。ロッド（６）と鋸操作ハンドル（１８）とは着脱可能で、ハンドル（１１）及び鋸操作ハンドル（１８）は共に握りボルト（１２、１９）を緩めることで、長柄にそっての前後調節が可能な構造にある。使用方法は、予め目的の枝の張り出し方向に応じて把持フレーム（５）を左右いずれかに回動させ、装置先端が目的の枝に届いた処で、ハンドルのレバー（１３）を握って把持片（３）を閉じて枝を把持し、その状態で鋸操作ハンドル（１８）を前後に動かして先端の鋸（２）を往復動させ、鋸断する。【選択図】図１
0003120695.tif 000002
【実用新案登録請求の範囲】
【請求項１】
鋏状に軸着された２個の把持片からなる把持装置を、該把持片が長柄先端より前方に向けて開閉する姿勢で、且つ該長柄を中心軸として回動可能な状態で長柄先端近くに枢着し、更に該長柄先端部に鋸装置を設けた機構。
【請求項２】
対面する２枚の案内板の間に鋸の後端部が挟入されており、且つ該鋸後端部に貫着された摺動ピンが該案内板に明けられた、やや傾斜した長穴に横架された構造の鋸装置を備えた、請求項１の機構。
【請求項３】
鋼線を螺旋巻きしたアウターチューブが、多数の細い鋼線を撚って作られたインナーケーブルを外筒状に包んだ構造にあって、且つその片側終端部で該アウターチューブの端末部材が該インナーケーブルの端末部材に当接する構造のケーブルワイヤーを把持装置開閉用線状駆動力伝達部材として具備した、請求項１の機構。
【考案の詳細な説明】
【技術分野】
【０００１】  本考案は造園、果樹栽培、林業、一般家庭などに於いて高所の枝を鋸断するための高枝用鋸に関するものである。
【背景技術】
【０００２】  高所の枝を鋸断する鋸は相当の昔から存在しているが、それは長柄の先端に鋸を装着しただけのもので、比較的しなやかな枝を切ろうとすると、鋸挽き動作に従動して枝が揺れ動き、思うように切ることができなかった。【０００３】  最近ではこのような欠点を補う為の種々の工夫、考案がなされているが、枝を押さえる鈎具を併設した程度のものが多く、枝保持能力は不十分であり、鋸断動作と枝把持動作の２動作を使い分けて枝をしっかり支えながら鋸断可能な構造の物はほとんど見られない。
【考案の開示】
【考案が解決しようとする課題】
【０００４】  斯様な状況に鑑み、比較的軽便で、鋸部と操作部との間隔調節が可能で、しかも枝を片手で確実に把持しながら挽ける高枝鋸を提供する為に本考案がなされた。
【課題を解決させる為の手段】
【構成】
【０００５】  本考案の装置は、主として鋸装置と鋸操作部、把持装置と把持操作部の４機構で構成されるが、この内鋸装置及び把持装置が長柄（１）の先端部に装着され、鋸操作部と把持操作部が該長柄の後端近くに装着されて、それぞれ別の線状駆動力伝達部材で係合される。
【０００６】  長柄（１）は円柱状もしくは円筒状で、先端部はひとまわり細く絞られ、前端末は閉止されている。更に該長柄の下には部分的に、これと並行して細目の支持パイプ（２０）が取り付けられており、該支持パイプの先端にはゴムなどの弾力性素材でできた防塵ブーツ（２１）が嵌合されている。
【０００７】  長柄先端の細まった部分には、前傾した長穴（４ａ）を持って対面する二枚の案内板（４）が装着されており、両案内板の間には鋸（２）の後端部が挟入されていて、該鋸の先端は長柄の先へと伸びている。
【０００８】  鋸（２）の後端部はやや上方に湾曲し、該湾曲部上端には刃面と直角に貫着された摺動ピン（２ａ）があって、該摺動ピンが上記案内板の二つの長穴（４ａ）に横架され、鋸の前後動及び回動が可能な状態にある。
【０００９】  鋸（２）の、摺動ピン（２ａ）よりやや下方前方寄りには、フォークヘッド（６ａ）が枢着されており、該フォークヘッドに接続されたロッド（６）を介して、長柄の後端部近くの支持フレーム（１７）に枢着された鋸操作ハンドル（１８）に係合している。
【００１０】  長柄（１）先端の細まった部分の、上記案内板（４）の直ぐ後方には、後端部に管状部分を持つ把持フレーム（５）があって、該管状部分と長柄とは同軸で嵌合されており、該把持フレームは、案内板並びに鋸（２）に干渉しない範囲で、長柄を中心軸としての回動が可能である。
【００１１】  把持フレーム（５）の管状部分外側には蝶ボルト（７）があり、回動の規制を可能にしている。
【００１２】  把持フレーム（５）の側面一部は前方へ向けて側板状に迫り出し、その先端には湾曲板状の枝押さえ（５ａ）がある。
【００１３】  枝押さえ（５ａ）の直ぐ後方の側面には、鋏状に回動し得る、二個の湾曲した把持片（３）が枢着されている。
【００１４】  把持片（３）の枢軸部にはスプリング（８）があって、普段両把持片を開く方向に付勢している。
【００１５】  両把持片（３）の後端部、即ち枢軸より後方には、その直近でＹ字に分岐した、ケーブルワイヤー（９）のインナーケーブル（９ａ）が接続されている。
【００１６】  該Ｙ字分岐部分近くの把持フレーム（５）側面には、集束環（１０）が装着されており、該集束環の環内に上記Ｙ字状インナーケーブル（９ａ）が挿通されている。
【００１７】  ケーブルワイヤー（９）は、長柄の下に並行する支持パイプ（２０）内に挿通された後、後方のハンドル（１１）に枢着されたレバー（１３）に係合している。
【００１８】  ケーブルワイヤー（９）は一般にボーデンケーブルと呼ばれるもので、多数の細い鋼線を撚って作られたインナーケーブル（９ａ）を鋼線を螺旋状に巻いたアウターチューブ（９ｂ）が被包した構造にあり、比較的柔軟に湾曲させ得る。
【００１９】  ハンドル（１１）は握りボルト（１２）を緩めれば、長柄に沿っての移動及び回動が可能である。
【００２０】  該ハンドルにはレバーピン（１４）があって、これにレバー（１３）が枢着されており、更に該レバーはサブレバーピン（１５）部で上下に二分割され、レバー下片（１３ａ）が反ハンドル方向に回動可能な構造にある。
【００２１】  レバー上片（１３ｂ）はスプリング（１６）により前方に付勢されており、レバー下片（１３ａ）はストッパーの規制範囲内でサブレバーピン（１５）から垂下している。
【００２２】  ケーブルワイヤー（９）はレバー上片（１３ｂ）の下端面とレバー下片（１３ａ）の上端面との間に挿通されているが、レバー下片が垂下した状態では係合関係はなく、自由である。しかしレバー下片（１３ａ）がハンドル方向へ牽引された時にはレバー上片（１３ｂ）の下端面とレバー下片（１３ａ）の上端面とが対向して挟持体を構成し、両端面間を挿通させたケーブルワイヤーを狭持する。
【００２３】  挟持体の対向面には被挟持物であるケーブルワイヤー（９）の損耗を抑制し、且つ把握を確実にする加工が施されている。
【００２４】  上下レバー間に挿通されたケーブルワイヤー（９）の後端部はハンドル（１１）の握り部近くに明けられた貫通孔（１１ａ）から後方に抜けており、該後端部ではアウターチューブの端末スリーブ（９ｄ）がインナーケーブルの端末係止部材（９ｃ）に当接している。
【００２５】  ハンドル（１１）より後方の長柄（１）には、二等辺三角形の支持フレーム（１７）があり、該支持フレームの三角形底辺部分は管状になっており、該管状部分、即ちフレーム管部（１７ｂ）に長柄（１）が挿入された状態にある。
【００２６】  該フレーム管部（１７ｂ）の外側には握りボルト（１９）があって、支持フレーム（１７）の回動並びに摺動の規制を可能にしている。
【００２７】  支持フレーム（１７）の三角形頂点部にある枢軸（１７ｃ）に鋸操作ハンドル（１８）が枢着されており、該鋸操作ハンドルの先端はフレーム管部（１７ｂ）を越えて、反対方向に迫り出している。
【００２８】  鋸操作ハンドル（１８）がフレーム管部（１７ｂ）と交わる付近のシャフトの一部には、切り込みがあって、該切り込み部にはピン（１８ａ）が立設されており、更に鋸操作ハンドルの先端部にはゴム製のグリップが装着されている。
【００２９】  ロッド（６）の後端近くには何個かの調整ピン穴（６ｂ）が一列に明けられており、これに上記のピン（１８ａ）が、着脱可能状態で、嵌合する。
【００３０】  ピン（１８ａ）の上端はロッド（６）の自然脱落を防止し得る構造にある。
【各部品の働きと相互関係】
【００３１】    鋸（２）は、ロッド（６）及びフォークヘッド（６ａ）を介して、後方の鋸操作ハンドル（１８）の前後の動きに従動して長穴（４ａ）の範囲内で前後動するが、その際鋸後端に係合するフォークヘッドと摺動ピン（２ａ）との位置関係、並びに前方に傾斜した長穴（４ａ）の規制を受け、鋸が後方に牽引される時は常に鋸先端が下方に付勢される。
【００３２】  鋸操作ハンドル（１８）が前方に押され摺動ピン（２ａ）が長穴（４ａ）の前端に当接した後も押され続けた場合には、鋸の先端は上方に上がり、その下に鋸断目的の枝を入れることが可能となる。
【００３３】  ロッド（６）の後端近くに何個か明けられた調整ピン穴（６ｂ）と、これに嵌合された鋸操作ハンドル（１８）のピン（１８ａ）とは着脱可能で、これを外して握りボルト（１９）を緩めることによって、支持フレーム（１７）全体の前後調節が可能である。
【００３４】  又支持フレーム（１７）を一旦長柄の後端から引き抜き、前後反転させて再装着する事により、使用者の利き腕に対応して、鋸操作ハンドル（１８）の左右向きが変えられる。
【００３５】  把持フレーム（５）は長柄を中心軸にして約１８０°回動可能で、これにより把持片（３）は鋸断目的の枝の張り出し方向に応じて、鋸の左右いずれにも配置可能である。即ち枝の切断部より幹側に把持装置がくるように予めセットでき、その位置で蝶ボルト（７）を締めれば固定される。
【００３６】  把持フレーム（５）の先端の枝押さえ（５ａ）は、特に鋸が後方へ牽引されて枝を挽く際に、枝が従動するのを抑制する働きをする。
【００３７】把持片（３）は、ケーブルワイヤー（９）を介して、後方のレバー（１３）が引かれるのに従動して閉じ、鋸断目的の枝の幹側を把持する働きをする。これにより、鋸の前後動に従動して枝が揺れ動くのが抑制され、鋸断位置も安定する。
【００３８】  集束環（１０）は、インナーケーブル（９ａ）が後方に牽引される際、Ｙ字に分岐した二つの端の被牽引方向をガイドし、結果として把持片（３）の両後端部を互いに引き寄せる働きを補う。
【００３９】  ハンドル（１１）のレバー下片（１３ａ）が握られると、レバー上片（１３ｂ）の下端面とレバー下片（１３ａ）の上端面とが対向して挟持体を構成し、両端面間を挿通させたケーブルワイヤー（９）を狭持してこれを後方へ牽引する。
【００４０】  レバー（１３）が挟持して後方へ引くのはケーブルワイヤーのアウターチューブ（９ｂ）であり、該アウターチューブの端末スリーブ（９ｄ）が後端部でインナーケーブルの端末係止部材（９ｃ）に当接して駆動力をインナーケーブルに伝達し、この動きに伴って二個の把持片（３）が回動して閉じる。
【００４１】  レバー（１３）が放されると、ケーブルワイヤー（９）との係合関係が解かれるため、把持片（３）はスプリング（８）の付勢力で開く。
【００４２】  ケーブルワイヤー（９）はレバー下片（１３ａ）が引かれた時以外は挟持されておらず自由である為、握りボルト（１２）を緩めるだけで、目的の枝との距離や作業性に応じてハンドル位置の移動及び長柄を中心軸とする取り付け角度の調節が可能である。
【００４３】  支持パイプ（２０）はケーブルワイヤー（９）がその途中でたるみ下がるのを防止する働きをし、防麈ブーツ（２１）はパイプ内に切り屑が侵入するのを防止する。
【使用方法】
【００４４】  鋸断目的の枝と操作位置との距離を調節する場合は、一旦鋸操作ハンドル（１８）のピン（１８ａ）からロッド（６）の調整ピン穴（６ｂ）を外し、握りボルト（１２、１９）を緩めてハンドル（１１）並びに支持フレーム（１７）の固定位置を調節し、再びピンに調整ピン穴を嵌める。
【００４５】  使用者の利き腕に対応して、支持フレーム（１７）の向きを変える場合は、支持フレームを一旦長柄の後端から抜き、前後を反転させて再び装着する。
【００４６】  切り落とす枝と幹との位置関係に応じて、把持フレーム（５）を回動させ、把持装置が幹側に位置するようにセットし、蝶ボルト（７）を締める。
【００４７】  鋸操作ハンドル（１８）を前方に押して鋸（３）の先端を持ち上げた状態で、目的の枝に近づけて両把持片の中に枝を入れ、枝押さえ（５ａ）で該枝を押しながらレバー（１３）を引いて枝を把持する。
【００４８】  片手でハンドル（１１）と共にレバー（１３）をしっかり握ったまま、鋸操作ハンドル（１８）を前後に動かして鋸（２）を挽き、枝を切り落とす。
【００４９】  最後にレバー（１３）を放して把持片（３）を開き、装置全体を外す。
【００５０】  鋸断した枝が途中で引っ掛かった場合は、把持片を使って除去することも可能である。
【考案の効果】
【００５１】  本考案の鋸を用いる事により、鋸断時に枝が押さえられ、挽き動作に連られて枝が揺れ動くことなく、容易に枝が鋸断できるようになる。
【考案を実施するための最良の形態】
【００５２】  本考案を実施する際、把持装置が鋸の左右いずれの側にも位置することを容易ならしめる為に、把持片操作に用いる線状駆動力伝達部材として、柔軟に湾曲させ得るケーブルワイヤーを用いることが是非とも望まれる。その際、鋼線を撚って作られたインナーケーブルだけを用いる事も可能ではあるが、インナーケーブルを挟持体で直接挟持した場合その把握力は不十分で、仮に把握力を増す対策をすれば該インナーケーブルが早期に損耗する恐れがある。この損耗を予防し、且つケーブルワイヤーの把握力を確保する観点から、挟持体によるインナーケーブルの直接挟持を避け、一次的線状駆動力伝達媒体としてアウターチューブを挟持するのが良好策と言える。
【図面の簡単な説明】
【００５３】
【図１】は把持装置を鋸の左側に回した状態での、機構全体を示す外観斜視図である。
【図２】は把持装置を鋸の右側に回した状態での、機構先端部を示す外観斜視図である。
【図３】は把持装置を鋸の右側に回した状態での、機構全体を示す側断面図である。
【図４】は鋸を最先端部まで押し出して、先端を持ち上げた時の、機構先端部を示す側断面図である。
【符合の説明】
【００５４】１：長柄、  ２：鋸、  ２ａ：摺動ピン、  ３：把持片、  ４：案内板、  ４ａ：長穴、  ５：把持フレーム、  ５ａ：枝押さえ、  ６：ロッド、  ６ａ：フォークヘッド、  ６ｂ：調整ピン穴、  ７：蝶ボルト、  ８：スプリング、  ９：ケーブルワイヤー、  ９ａ：インナーケーブル、  ９ｂ：アウターチューブ、  ９ｃ：端末係止部材、  ９ｄ：端末スリーブ、  １０：集束環、  １１：ハンドル、  １１ａ：貫通孔、  １２：握りボルト、  １３：レバー、  １３ａ：レバー下片、  １３ｂ：レバー上片、  １４：レバーピン、  １５：サブレバーピン、  １６：スプリング、  １７：支持フレーム、  １７ａ：フレーム主部、  １７ｂ：フレーム管部、  １７ｃ：枢軸、  １８：鋸操作ハンドル、  １８ａ：ピン、  １９：握りボルト、  ２０：支持パイプ、  ２１：防麈ブーツ。
【図１】
0003120695.tif 000003
【図２】
0003120695.tif 000004
【図３】
0003120695.tif 000005
【図４】
0003120695.tif 000006